(57)【要約】  マルチセル協調送信/受信用の上りチャネルリソースを割り当てる方法、設備、システム、ユーザ端末、コンピュータ読み取り可能な媒体及びプログラムプロダクトが開示される。該方法は、少なくとも一つの他のセル中の上り制御チャネルリソース又は上りサウンディングリファレンス信号リソースの割り当てに関連する情報を受信し；主セル及び少なくとも一つの他のセル中の上り制御チャネルリソース又は上りサウンディングリファレンス信号リソースの割り当てに関連する情報に基づいて、主セル及び少なくとも一つの他のセル中の上り通信用に割り当てられている上り制御チャネルリソース又は上りサウンディングリファレンス信号リソースとは互いに重なり合わない上りチャネルリソースを確定し；及び、確定された上りチャネルリソースを主セル及び少なくとも一つの他のセルの上りマルチセル協調送信/受信に用いるように割り当てることを含む。
2014508462.tif 000002
【特許請求の範囲】
【請求項１】
基地局においてマルチセル協調送信/受信に用いる上りチャネルリソースを割り当てる方法であって、
少なくとも一つの他のセル中の、上り制御チャネルリソース又は上りサウンディングリファレンス信号リソースの割り当てに関連する情報を受信し；
主セル及び前記少なくとも一つの他のセル中の、上り制御チャネルリソース又は上りサウンディングリファレンス信号リソースの割り当てに関連する情報に基づいて、前記主セル及び前記少なくとも一つの他のセル中の、上り通信のために既に割り当てられている上り制御チャネルリソース又は上りサウンディングリファレンス信号リソースとは互いに重なり合わない上りチャネルリソースを確定し；及び
確定された上りチャネルリソースを、前記主セル及び前記少なくとも一つの他のセルの上りマルチセル協調送信/受信に用いるように割り当てることを含む、方法。
【請求項２】
請求項1に記載の方法であって、
前記主セル及び前記少なくとも一つの他のセル中の、上り制御チャネルリソースの割り当てに関連する情報は、前記主セル及び前記少なくとも一つの他のセルのサブフレーム中の、上り制御チャネルに割り当てられているリソースブロックの数であり、前記主セル及び前記少なくとも一つの他のセル中の、上り通信のために既に割り当てられている上り制御チャネルリソースは、前記サブフレーム中の、前記上り制御チャネルに割り当てられているリソースブロックであり、且つ、前記確定ステップは、
前記主セル及び前記少なくとも一つの他のセルのサブフレーム中の、上り制御チャネルに割り当てられているリソースブロックの数のうちの最大値を計算し；及び
前記サブフレーム中の個数が前記最大値である最初のリソースブロック及び個数が前記最大値である最後のリソースブロック以外の他のリソースブロックを、前記互いに重なり合わない上りチャネルリソースとすることを含む、方法。
【請求項３】
請求項1又は2に記載の方法であって、
前記主セル及び前記少なくとも一つの他のセル中の、上りサウンディングリファレンス信号リソースの割り当てに関連する情報は、前記主セル及び前記少なくとも一つの他のセルのサウンディングリファレンス信号の構成パラメータであり、前記主セル及び前記少なくとも一つの他のセル中の、上り通信のために既に割り当てられている上りサウンディングリファレンス信号リソースは、前記サブフレーム中の、サウンディングリファレンス信号をキャリーするためのシンボルであり、且つ、前記確定ステップは、
前記主セル及び前記少なくとも一つの他のセルのサウンディングリファレンス信号の構成パラメータに基づいて、サウンディングリファレンス信号をキャリーするためのサブフレーム及びそのうちの、サウンディングリファレンス信号をキャリーするためのシンボルを確定し；及び
前記サウンディングリファレンス信号をキャリーするためのサブフレーム以外の他のサブフレーム、及び、前記サウンディングリファレンス信号をキャリーするためのサブフレーム中の、前記サウンディングリファレンス信号をキャリーするためのシンボル以外の他のシンボルを、前記互いに重なり合わない上りチャネルリソースとすることを含む、方法。
【請求項４】
請求項3に記載の方法であって、
前記サウンディングリファレンス信号の構成パラメータは、サウンディングリファレンス信号の周期及び/又はサウンディングリファレンス信号のバンド幅である、方法。
【請求項５】
請求項1〜4のうちの何れか一項に記載の方法であって、
前記主セルが所属する基地局は、前記少なくとも一つの他のセルが所属する基地局とは異なる場合、前記少なくとも一つの他のセルは、X2インターフェースにより、前記少なくとも一つの他のセル中の、上り制御チャネルリソース又は上りサウンディングリファレンス信号リソースの割り当てに関連する情報を、前記主セルが所属する基地局に送信する、方法。
【請求項６】
基地局においてマルチセル協調送信/受信に用いる上りチャネルリソースを割り当てる設備であって、
少なくとも一つの他のセル中の、上り制御チャネルリソース又は上りサウンディングリファレンス信号リソースの割り当てに関連する情報を受信するための受信装置；
主セル及び前記少なくとも一つの他のセル中の、上り制御チャネルリソース又は上りサウンディングリファレンス信号リソースの割り当てに関連する情報に基づいて、前記主セル及び前記少なくとも一つの他のセル中の、上り通信のために既に割り当てられている上り制御チャネルリソース又は上りサウンディングリファレンス信号リソースとは互いに重なり合わない上りチャネルリソースを確定するための確定装置；及び
確定された上りチャネルリソースを、前記主セル及び前記少なくとも一つの他のセルの上りマルチセル協調送信/受信に用いるように割り当てるための割り当て装置を含む、設備。
【請求項７】
請求項6に記載の設備であって、
前記主セル及び前記少なくとも一つの他のセル中の、上り制御チャネルリソースの割り当てに関連する情報は、前記主セル及び前記少なくとも一つの他のセルのサブフレーム中の、上り制御チャネルに割り当てられているリソースブロックの数であり、前記主セル及び前記少なくとも一つの他のセル中の、上り通信のために既に割り当てられている上り制御チャネルリソースは、前記サブフレーム中の、前記上り制御チャネルに割り当てられているリソースブロックであり、且つ、前記確定装置は、
前記主セル及び前記少なくとも一つの他のセルのサブフレーム中の、上り制御チャネルに割り当てられているリソースブロックの数のうちの最大値を計算するためのリソースブロック計算装置；及び
前記サブフレーム中の個数が前記最大値である最初のリソースブロック及び個数が前記最大値である最後のリソースブロック以外の他のリソースブロックを、前記互いに重なり合わない上りチャネルリソースとするためのリソースブロック選択装置を含む、設備。
【請求項８】
請求項6に記載の設備であって、
前記主セル及び前記少なくとも一つの他のセル中の、上りサウンディングリファレンス信号リソースの割り当てに関連する情報は、前記主セル及び前記少なくとも一つの他のセルのサウンディングリファレンス信号の構成パラメータであり、前記主セル及び前記少なくとも一つの他のセル中の、上り通信のために既に割り当てられている上りサウンディングリファレンス信号リソースは、前記サブフレーム中の、サウンディングリファレンス信号をキャリーするためのシンボルであり、且つ、前記確定装置は
前記主セル及び前記少なくとも一つの他のセルのサウンディングリファレンス信号の構成パラメータに基づいて、サウンディングリファレンス信号をキャリーするためのサブフレーム及びそのうちの、サウンディングリファレンス信号をキャリーするためのシンボルを確定するためのサウンディングリファレンス信号計算装置；及び
前記サウンディングリファレンス信号をキャリーするためのサブフレーム以外の他のサブフレーム、及び、前記サウンディングリファレンス信号をキャリーするためのサブフレーム中の、前記サウンディングリファレンス信号をキャリーするためのシンボル以外の他のシンボルを、前記互いに重なり合わない上りチャネルリソースとするためのサウンディングリファレンス信号選択装置を含む、設備。
【請求項９】
請求項8に記載の設備であって、
前記サウンディングリファレンス信号の構成パラメータは、サウンディングリファレンス信号の周期及び/又はサウンディングリファレンス信号のバンド幅である、設備。
【請求項１０】
請求項6〜9のうちの何れか一項に記載の設備であって、
前記主セルが所属する基地局は、前記少なくとも一つの他のセルが所属する基地局とは異なる場合、前記少なくとも一つの他のセルは、X2インターフェースにより、前記少なくとも一つの他のセル中の、上り制御チャネルリソース又は上りサウンディングリファレンス信号リソースの割り当てに関連する情報を、前記主セルが所属する基地局に送信する、設備。
【請求項１１】
コンピュータ読み取り可能な指令を含むコンピュータ読み取り可能な記録媒体であって、
前記コンピュータ指令は、請求項1〜5のうちの何れか一項に記載の方法におけるステップを実行するために用いられる、コンピュータ読み取り可能な記録媒体。
【請求項１２】
マシン読み取り可能な指令コードを記録したプログラムプロダクトであって、
前記指令コードは、マシンにより読み出されて実行される時に、請求項1〜5のうちの何れか一項に記載の方法を実行し得る、プログラムプロダクト。
【請求項１３】
マルチセル協調送信/受信に用いる上りチャネルリソースを割り当てる方法であって、
基地局が、少なくとも一つの他のセル中の、上り制御チャネルリソース又は上りサウンディングリファレンス信号リソースの割り当てに関連する情報を受信し；
前記基地局が、主セル及び前記少なくとも一つの他のセル中の、上り制御チャネルリソース又は上りサウンディングリファレンス信号リソースの割り当てに関連する情報に基づいて、前記主セル及び前記少なくとも一つの他のセル中の、上り通信のために既に割り当てられている上り制御チャネルリソース又は上りサウンディングリファレンス信号リソースとは互いに重なり合わない上りチャネルリソースを確定し；
前記基地局が、確定された上りチャネルリソースを、前記主セル及び前記少なくとも一つの他のセルの上りマルチセル協調送信/受信に用いるための割り当て情報を前記ユーザ端末に送信し；
前記ユーザ端末が、前記基地局により伝送された前記割り当て情報を受信し；及び
前記ユーザ端末が、前記割り当て情報に基づいて、前記主セル及び前記少なくとも一つの他のセルにアクセスすることを含む、方法。
【請求項１４】
マルチセル協調送信/受信に用いる上りチャネルリソースを割り当てるシステムであって、
基地局及びユーザ端末を含み、
前記基地局は、
少なくとも一つの他のセル中の、上り制御チャネルリソース又は上りサウンディングリファレンス信号リソースの割り当てに関連する情報を受信するための受信装置；
主セル及び前記少なくとも一つの他のセル中の、上り制御チャネルリソース又は上りサウンディングリファレンス信号リソースの割り当てに関連する情報に基づいて、前記主セル及び前記少なくとも一つの他のセル中の、上り通信のために既に割り当てられている上り制御チャネルリソース又は上りサウンディングリファレンス信号リソースとは互いに重なり合わない上りチャネルリソースを確定するための確定装置；及び
確定された上りチャネルリソースを、前記主セル及び前記少なくとも一つの他のセルの上りマルチセル協調送信/受信に用いるための割り当て情報を前記ユーザ端末に伝送するための伝送装置を含み、
前記ユーザ端末は、
前記基地局により伝送された前記割り当て情報を受信するための割り当て情報受信装置；及び
前記割り当て情報に基づいて、前記主セル及び前記少なくとも一つの他のセルにアクセスするためのアクセス装置を含む、システム。
【請求項１５】
マルチセル協調送信/受信に用いる上りチャネルリソースを割り当てる方法であって、
ユーザ端末が、基地局から割り当て情報を受信し；及び
前記ユーザ端末が、前記割り当て情報に基づいて、主セル及び少なくとも一つの他のセルにアクセスすることを含み、
前記基地局は、少なくとも一つの他のセル中の、上り制御チャネルリソース又は上りサウンディングリファレンス信号リソースの割り当てに関連する情報を受信し；
前記基地局は、主セル及び前記少なくとも一つの他のセル中の、上り制御チャネルリソース又は上りサウンディングリファレンス信号リソースの割り当てに関連する情報に基づいて、前記主セル及び前記少なくとも一つの他のセル中の、上り通信のために既に割り当てられている上り制御チャネルリソース又は上りサウンディングリファレンス信号リソースとは互いに重なり合わない上りチャネルリソースを確定し；及び
前記基地局は、確定された上りチャネルリソースを、前記主セル及び前記少なくとも一つの他のセルの上りマルチセル協調送信/受信に用いるための割り当て情報を前記ユーザ端末に送信する、方法。
【請求項１６】
マルチセル協調送信/受信に用いる上りチャネルリソースを割り当てるユーザ端末であって、
基地局により伝送された割り当て情報を受信するための割り当て情報受信装置；及び
前記割り当て情報に基づいて、主セル及び少なくとも一つの他のセルにアクセスするためのアクセス装置を含み
前記基地局は、
前記少なくとも一つの他のセル中の、上り制御チャネルリソース又は上りサウンディングリファレンス信号リソースの割り当てに関連する情報を受信するための受信装置；
前記主セル及び前記少なくとも一つの他のセル中の、上り制御チャネルリソース又は上りサウンディングリファレンス信号リソースの割り当てに関連する情報に基づいて、前記主セル及び前記少なくとも一つの他のセル中の、上り通信のために既に割り当てられている上り制御チャネルリソース又は上りサウンディングリファレンス信号リソースとは互いに重なり合わない上りチャネルリソースを確定するための確定装置；及び
確定された上りチャネルリソースを、前記主セル及び前記少なくとも一つの他のセルの上りマルチセル協調送信/受信に用いるための割り当て情報を前記ユーザ端末に送信するための伝送装置を含む、ユーザ端末。
【発明の詳細な説明】
【技術分野】
【０００１】
本発明は、一般的に、無線通信分野に関し、より具体的に、マルチセル協調送信/受信に用いる上りチャネルリソースを割り当てる方法及び設備に関する。
【背景技術】
【０００２】
3GPPのロング・ターム・エボリューション（LTE、Long  Term  Evaluation）システムでは、各セルが同じ時間領域リソース及び/又は周波数領域リソース（以下、“時間周波数リソース”と称され）を使用するので、各セル間に一定程度の干渉をもたらすことができる。LTEシステムのパフォーマンス及びセル境界（エッジ）ユーザのスループット及び伝送信頼性を向上させるために、マルチセル協調送信/受信（CoMP、Cooperative  Multi-point  Transmission/Reception）と称される技術案が既に提案されている。CoMP技術案は、複数セル間の統合スケジューリング又は協調伝送により、隣接するセルによる干渉を軽減し、ユーザの受信信号の品質を上げ、これにより、システム容量及び境界ユーザのスペクトル効率を向上させることができる。伝送方法の違いにより、CoMPは、2種類、即ち、統合処理（JP、joint  processing）技術及び協調スケジューリング/協調ビームフォーミング（CS/CB、coordinated  scheduling/coordinated  beamforming）技術に分けられる。
【０００３】
図1aに示すように、統合処理案では、協調セル集合内の全てのセルが同じ無線リソースブロックにおいて同じ又は異なるデータを端末に送信し、即ち、複数の協調セルが同一時刻にデータを同一のユーザ端末UEに送信する。統合処理方式により、元のLTEシステムの異なるセル間の干渉信号を有用な信号に変えることで、セル間の干渉を軽減し、ユーザの受信信号の品質を向上させることができる。
【０００４】
図1bに示すように、協調スケジューリング/協調ビームフォーミング技術では、一つのユーザのデータが同時に一つのみのセルにより伝送され、複数セルの協調スケジューリングにより制御を行い、干渉を軽減することができる。協調セル集合中の他のセルは、同じ無線リソースを用いて、異なるユーザ端末UEにサービスを提供できるが、協調セル集合内の各セルの送信信号は、他のセルへの干渉に基づいて協調されて、他のセルにおけるユーザ端末への干渉をできるだけ軽減する必要がある。協調セル間は、送信信号のビームの方向を協調することにより、干渉が比較的大きいビームを有効に避けることができる。よって、狭いビームにより、セル間の干渉を有効に軽減し、受信信号の品質を向上させることができる。
【発明の概要】
【発明が解決しようとする課題】
【０００５】
実際に、LTEシステムの各セルでは、上りチャネルリソースの割り当て方式が互いに異なる可能性がある。例えば、仮に一つの主セルA（第１セル）及び一つの他のセルB（第２セル）が存在し、両者が同じ上り時間周波数リソースW1、W2、…、WN-1、WNを有するとする。なお、時間周波数リソースW1、W2、…、WN-1、WNは、例えば、周波数領域中のサブフレームのリソースブロック（RB、Resource  Block）、又は、時間領域中のサブフレームのシンボル（Symbol）等であってもよい。主セルAは、上りリソースW1及びW2を、ユーザ業務（サービス）データ以外の他の情報、例えば、上りチャネル制御情報又はサウンディングリファレンス信号情報等をキャリー（Carry）するために用いる可能性があり、且つ、主セルAは、残りの上りリソースW3、…、WN-1、WNを、ユーザ業務データ、例えば、CoMPを行うためのデータをキャリーするために用いる可能性がある。しかし、他のセルBは、上りリソースW1、W2及びW3を、ユーザ業務データ以外の他の情報、例えば、上りチャネル制御情報又はサウンディングリファレンス信号情報等をキャリーするために用いる可能性があり、且つ、他のセルBは、残りの上りリソースW4、…、WN-1、WNを、ユーザ業務データ、例えば、CoMPを行うためのデータをキャリーするために用いる可能性がある。よって、主セルAの上りリソースW3によりキャリーされるユーザ業務データは、他のセルBの上りリソースW3によりキャリーされる、ユーザ業務データ以外の他の情報からの干渉を受ける可能性がある。
【０００６】
本発明は、各セル間において各セルの上りチャネルリソースの割り当て情報を共有（Share）し、これらの割り当て情報を総合的に考慮してCoMP処理に用い得る適切な上りチャネルリソースを選択し、これにより、各セル間に存在する上述のような干渉を避けることができる。
【課題を解決するための手段】
【０００７】
本発明の一実施例によれば、基地局においてマルチセル協調送信/受信に用いる上りチャネルリソースを割り当てる方法が開示される。該方法は、少なくとも一つの他のセル中の上り制御チャネルリソース又は上りサウンディングリファレンス信号リソースの割り当てに関連する情報を受信し；主セル及び少なくとも一つの他のセル中の上り制御チャネルリソース又は上りサウンディングリファレンス信号リソースの割り当てに関連する情報に基づいて、主セル及び少なくとも一つの他のセルの中の、上り通信のために既に割り当てられている上り制御チャネルリソース又は上りサウンディングリファレンス信号リソースとは互いに重なり合わない上りチャネルリソースを確定し；及び、確定された上りチャネルリソースを、主セル及び少なくとも一つの他のセルの上りマルチセル協調送信/受信に関与（使用）させるために割り当てることを含む。
【０００８】
本発明の一実施例によれば、そのうち、主セル及び少なくとも一つの他のセル中の上り制御チャネルリソースの割り当てに関連する情報は、主セル及び少なくとも一つの他のセルのサブフレーム中の、上り制御チャネルに割り当てられているリソースブロックの数であり、主セル及び少なくとも一つの他のセルの中の、上り通信のために既に割り当てられている上り制御チャネルリソースは、サブフレーム中の、上り制御チャネルに割り当てられているリソースブロックであり、且つ、確定ステップは、主セル及び少なくとも一つの他のセルのサブフレーム中の、上り制御チャネルに割り当てられているリソースブロックの数のうちの最大値を計算し；及び、サブフレームにおいて、個数が前記最大値である前（最初）のリソースブロック及び個数が前記最大値である後（最後）のリソースブロック以外の他のリソースブロックを、互いに重なり合わない上りチャネルリソースとすることを含む。
【０００９】
本発明の一実施例によれば、そのうち、主セル及び少なくとも一つの他のセル中の上りサウンディングリファレンス信号リソースの割り当てに関連する情報は、主セル及び少なくとも一つの他のセルのサウンディングリファレンス信号の構成パラメータであり、主セル及び少なくとも一つの他のセル中の、上り通信のために既に割り当てられている上りサウンディングリファレンス信号リソースは、サブフレーム中の、サウンディングリファレンス信号をキャリーするためのシンボルであり、且つ、確定ステップは、主セル及び少なくとも一つの他のセルのサウンディングリファレンス信号の構成パラメータに基づいて、サウンディングリファレンス信号をキャリーするためのサブフレーム、及び、そのうちのサウンディングリファレンス信号をキャリーするためのシンボルを確定し；及び、サウンディングリファレンス信号をキャリーするためのサブフレーム以外の他のサブフレーム、及び、サウンディングリファレンス信号をキャリーするためのサブフレームにおける、サウンディングリファレンス信号をキャリーするためのシンボル以外の他のシンボルを、互いに重なり合わない上りチャネルリソースとすることを含む。
【００１０】
本発明の一実施例によれば、そのうち、サウンディングリファレンス信号の構成パラメータは、サウンディングリファレンス信号の周期及び/又はサウンディングリファレンス信号のバンド幅である。
【００１１】
本発明の一実施例によれば、そのうち、主セルが所属する基地局が、少なくとも一つの他のセルが所属する基地局とは異なる場合、少なくとも一つの他のセルは、X2インターフェースにより、少なくとも一つの他のセル中の上り制御チャネルリソース又は上りサウンディングリファレンス信号リソースの割り当てに関連する情報を、主セルが所属する基地局に送信する。
【００１２】
本発明の一実施例によれば、基地局においてマルチセル協調送信/受信に用いる上りチャネルリソースを割り当てる設備が開示される。該設備は、少なくとも一つの他のセル中の上り制御チャネルリソース又は上りサウンディングリファレンス信号リソースの割り当てに関連する情報を受信するための受信装置；主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定するための確定装置；及び、確定された上りチャネルリソースを、主セル及び少なくとも一つの他のセルの上りマルチセル協調送信/受信に関与（使用）させるために割り当てるための割り当て装置を含む。
【００１３】
本発明の一実施例によれば、コンピュータ読み取り可能な指令を含むコンピュータ読み取り可能な記録媒体が開示される。コンピュータ読み取り可能な指令は、上述の方法におけるステップを実行させるために用いられる。
【００１４】
本発明の一実施例によれば、マシン読み取り可能な指令コードを記憶したプログラムプロダクトが開示される。指令コードは、マシンにより読み出されて実行される時に、上述の方法におけるステップを実行させることができる。
【００１５】
本発明の一実施例によれば、マルチセル協調送信/受信に用いる上りチャネルリソースを割り当てる方法が開示される。該方法は、基地局が、少なくとも一つの他のセル中の上り制御チャネルリソース又は上りサウンディングリファレンス信号リソースの割り当てに関連する情報を受信し；基地局が、主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定し；基地局が、確定された上りチャネルリソースを、主セル及び少なくとも一つの他のセルの上りマルチセル協調送信/受信に関与（使用）させるための割り当て情報をユーザ端末に送信し；ユーザ端末が、基地局により伝送された割り当て情報を受信し；及び、ユーザ端末が、割り当て情報に基づいて、主セル及び少なくとも一つの他のセルにアクセスすることを含む。
【００１６】
本発明の一実施例によれば、マルチセル協調送信/受信に用いる上りチャネルリソースを割り当てるシステムが開示される。該システムは、基地局及びユーザ端末を含み、そのうち、基地局は、少なくとも一つの他のセル中の上り制御チャネルリソース又は上りサウンディングリファレンス信号リソースの割り当てに関連する情報を受信するための受信装置；主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定するための確定装置；及び、確定された上りチャネルリソースを、主セル及び少なくとも一つの他のセルの上りマルチセル協調送信/受信に関与（使用）させるための割り当て情報をユーザ端末に伝送するための伝送装置を含み、ユーザ端末は、基地局により伝送された割り当て情報を受信するための割り当て情報受信装置；及び、割り当て情報に基づいて、主セル及び少なくとも一つの他のセルにアクセスするためのアクセス装置を含む。
【００１７】
本発明の一実施例によれば、マルチセル協調送信/受信に用いる上りチャネルリソースを割り当てる方法が開示される。該方法は、ユーザ端末が、基地局から割り当て情報を受信し；及び、ユーザ端末が、割り当て情報に基づいて、主セル及び少なくとも一つの他のセルにアクセスすることを含み、そのうち、基地局は、少なくとも一つの他のセル中の上り制御チャネルリソース又は上りサウンディングリファレンス信号リソースの割り当てに関連する情報を受信し；基地局は、主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定し；及び、基地局は、確定された上りチャネルリソースを、主セル及び少なくとも一つの他のセルの上りマルチセル協調送信/受信に関与（使用）させるための割り当て情報をユーザ端末に伝送する。
【００１８】
本発明の一実施例によれば、マルチセル協調送信/受信に用いる上りチャネルリソースを割り当てるユーザ端末が開示される。該ユーザ端末は、基地局により伝送された割り当て情報を受信するための割り当て情報受信装置；及び、割り当て情報に基づいて、主セル及び少なくとも一つの他のセルにアクセスするためのアクセス装置を含み、そのうち、基地局は、少なくとも一つの他のセル中の上り制御チャネルリソース又は上りサウンディングリファレンス信号リソースの割り当てに関連する情報を受信するための受信装置；主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定するための確定装置；及び、確定された上りチャネルリソースを、主セル及び少なくとも一つの他のセルの上りマルチセル協調送信/受信に関与（使用）させるための割り当て情報をユーザ端末に伝送するための伝送装置を含む。
【図面の簡単な説明】
【００１９】
添付した図面に基づく本発明の実施例についての次の説明を参照することにより、本発明の上述及び他の目的、特徴及び利点をより容易に理解することができる。また、図面では、同じ又は対応する技術的特徴又は部品は、同じ又は対応する符号により表される。
【図１ａ】従来技術における統合処理CoMPを示す図である。
【図１ｂ】従来技術における協調スケジューリング/協調ビームフォーミングCoMPを示す図である。
【図２】本発明の第一実施例による基地局においてマルチセル協調送信/受信に用いる上りチャネルリソースを割り当てる方法のフローチャートである。
【図３】本発明の第二実施例による基地局において上り制御チャネル情報に基づいてマルチセル協調送信/受信に用いる上りチャネルリソースを割り当てる方法のフローチャートである。
【図４ａ】本発明の第二実施例による各セルのサブフレーム構成を示す図である。
【図４ｂ】本発明の第二実施例による各セルのサブフレームにおいてCoMPを行うために選択され得る領域を示す図である。
【図５】本発明の第三実施例による基地局においてサウンディングリファレンス信号情報に基づいてマルチセル協調送信/受信に用いる上りチャネルリソースを割り当てる方法のフローチャートである。
【図６ａ】本発明の第三実施例による各セルにおいて異なるサウンディングリファレンス信号の周期を有するフレームシーケンスを示す図である。
【図６ｂ】本発明の第三実施例による各セルの第n個のサブフレームの構成を示す図である。
【図６ｃ】本発明の第三実施例による各セルのサブフレームにおいてCoMPを行うために選択され得る領域を示す図である。
【図７】本発明の第四実施例による基地局においてマルチセル協調送信/受信に用いる上りチャネルリソースを割り当てる設備を示すブロック図である。
【図８】本発明の第五実施例による基地局において上り制御チャネル情報に基づいてマルチセル協調送信/受信に用いる上りチャネルリソースを割り当てる設備を示すブロック図である。
【図９】本発明の第六実施例による基地局においてサウンディングリファレンス信号情報に基づいてマルチセル協調送信/受信に用いる上りチャネルリソースを割り当てる設備を示すブロック図である。
【図１０】本発明の第七実施例によるマルチセル協調送信/受信に用いる上りチャネルリソースを割り当てる方法のフローチャートである。
【図１１】本発明の第八実施例によるマルチセル協調送信/受信に用いる上りチャネルリソースを割り当てる方法のフローチャートである。
【図１２】本発明のユーザ端末を示すブロック図である。
【発明を実施するための形態】
【００２０】
以下、添付した図面を参照しながら本発明の実施例について説明を行う。なお、明確にするために、図面及び説明では、本発明に関係のない、当業者に既知の部品及び処理の図示及び記載は省略される。
【００２１】
第一実施例
次に、図2を参照して本発明の第一実施例を説明する。図2を参照するに、図2は、本発明の第一実施例による基地局においてマルチセル協調送信/受信に用いる上りチャネルリソースを割り当てる方法のフローチャートである。
【００２２】
方法は、ステップ200にてスタートする。ステップ202では、少なくとも一つの他のセル中の上り制御チャネルリソース又は上りサウンディングリファレンス信号リソースの割り当てに関連する情報（割り当て関連情報）を受信する。
【００２３】
ユーザ端末UEが主セル及び他のセルにおいてCoMPを行う前に、まず、主セルにより、他のセルに、リソース構成情報への要求を伝送することができる。他のセルは、主セルから送信されてきた該要求を受信した後に、他のセルのリソース構成情報を主セルに送信する。そのうち、他のセルのリソース構成情報は、例えば、他のセルの上り制御チャネルリソースの割り当てに関連する情報、又は、他のセルの上りサウンディングリファレンス信号リソースの割り当てに関連する情報である。他のセルの上り制御チャネルリソースの割り当てに関連する情報は、例えば、サブフレーム中の何個のリソースブロック又はどのリソースブロックを上り制御チャネルのために割り当てるかである。他のセルの上りサウンディングリファレンス信号リソースの割り当てに関連する情報は、例えば、サウンディングリファレンス信号の構成パラメータ、例えば、サウンディングリファレンス信号の周期又はサウンディングリファレンス信号のバンド幅等である。そのうち、サウンディングリファレンス信号は、UEが上りチャネル品質を測定するために周期又は非周期的に上りチャネル上で送信する信号である。当業者が理解すべきは、他のセルのリソース構成情報は、セルの特定の他のタイプの情報であってもよいとのことである。各セルの構成方式が異なるので、各セル間には一定程度のセル間干渉が存在する。
【００２４】
また、主セルにより他のセルにリソース構成情報への要求を送信せず、他のセルにより周期又は非周期的にそのリソース構成情報を主セルに能動的に送信することもできる。本実施例では、マルチセル協調送信/受信において一つのみの他のセルが示されているが、他のセルの数が一つだけでなく、例えば、二つ以上であってもよい。
【００２５】
続いて、ステップ204では、主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定する。
【００２６】
まだ上述の例を以って説明を行う。そのうち、説明すべきは、時間周波数リソースW1、W2、…、WN-1、WNは、例えば、周波数領域中のサブフレームのリソースブロック（RB、Resource  Block）、又は、時間領域中のサブフレームのシンボル（Symbol）等であってもよいとのことである。主セルAは、上り時間周波数リソースW1及びW2を、ユーザ業務データ以外の他の情報、例えば、上りチャネル制御情報又はサウンディングリファレンス信号情報等をキャリーするために用いる可能性がある。しかし、他のセルBは、上り時間周波数リソースW1、W2及びW3を、ユーザ業務データ以外の他の情報、例えば、上りチャネル制御情報又はサウンディングリファレンス信号情報等をキャリーするために用いる可能性がある。上述の主セルA及び他のセルBのリソース構成状況を綜合的に考慮し、上り時間周波数リソースW4、…、WN-1、WNは、主セルAの上り時間周波数リソースW1及びW2とは互いに重なり合わず、且つ、他のセルの上り時間周波数リソースW1、W2及びW3とも互いに重なり合わない上り時間周波数リソースであると確定する。
【００２７】
続いて、ステップ206では、確定された上りチャネルリソースを、主セル及び少なくとも一つの他のセルの上りマルチセル協調送信/受信に用いるために割り当てる。
【００２８】
続いて、上述の例において、上り時間周波数リソースW4、…、WN-1、WNは、主セルAの上り時間周波数リソースW1及びW2とは互いに重なり合わず、且つ他のセルの上り時間周波数リソースW1、W2及びW3とも互いに重なり合わない上り時間周波数リソースであると既に確定されているので、上り時間周波数リソースW4、…、WN-1、WNを、CoMP処理を行うデータをキャリーするために割り当てる。
【００２９】
最後に、該方法はステップ208にて終了する。
【００３０】
該実施例では、各セル間において各セルの上り制御チャネルリソース又は上りサウンディングリファレンス信号リソースの割り当て情報を共有し、これらの割り当て情報を綜合的に考慮して、主セル及び少なくとも一つの他のセル中の、上り通信のために既に割り当てられている上り制御チャネルリソース又は上りサウンディングリファレンス信号リソースとは互いに重なり合わない上りチャネルリソースを選択することにより、各セル間に存在する上述のような干渉を避けることができる。
【００３１】
第二実施例
次に、図3及び図4a、図4bを参照して本発明の第二実施例を説明する。図3は、本発明の第二実施例による基地局において上り制御チャネル情報に基づいてマルチセル協調送信/受信に用いる上りチャネルリソースを割り当てる方法のフローチャートである。図4aは、本発明の第二実施例による各セルのサブフレーム構成を示す図である。図4bは、本発明の第二実施例による各セルのサブフレームにおいてCoMPを行うために選択され得る領域を示す図である。
【００３２】
図4a及び4bを参照するに、そのうち、主セルのサブフレーム400は、サブフレームの頭部（Head）及びサブフレームの尾部（Tail)にそれぞれ位置する上り制御チャネル（PUCCH）400-1を含み、さらに、サブフレームの中部（Middle）に位置する可用領域400-2をも含む。同様に、他のセルのサブフレーム402は、サブフレームの頭部及びサブフレームの尾部にそれぞれ位置する上り制御チャネル（PUCCH）402-1を含み、さらに、サブフレームの中部に位置する可用領域402-2をも含む。主セルサブフレーム400が含むリソースブロックの総数は、他のセルサブフレーム402が含むリソースブロックの総数に等しいが、主セルサブフレーム400中の上り制御チャネル400-1が含むリソースブロックの数n1は、他のセルサブフレーム402中の上り制御チャネル402-1が含むリソースブロックの数n2とは異なる可能性がある。n1及びn2は、全て1以上の自然数である。図4aの実施では、n1はn2よりも小さい。しかし、当業者が理解すべきは、n1はn2よりも大きくなってもよいとのことである。また、本実施例では、一つのみの他のセルサブフレーム402は示されているが、他のセルの数は一つだけでなく、例えば、二つ以上であってよい。
【００３３】
図3を参照するに、該方法は、ステップ300にてスタートする。続いて、ステップ302では、少なくとも一つの他のセルのサブフレーム中の、上り制御チャネルのために割り当てられているリソースブロックの数を受信する。
【００３４】
図4aを参照するに、ユーザ端末UEが主セル及び他のセルにおいてCoMPを行う前に、まず、主セルにより、他のセルに、他のセルのサブフレーム402中の、上り制御チャネル402-1のために割り当てられているリソースブロックの数n2への要求を送信することができる。他のセルは、主セルから送信されてきた該要求を受信した後に、該数n2を主セルに送信する。また、主セルにより他のセルに該数n2への要求を送信せず、他のセルにより周期又は非周期的に該数n2を主セルに能動的に送信することもできる。当業者が理解すべきは、他のセルから、セルの特定の他のタイプの情報を受信してもよいとのことである。
【００３５】
続いて、ステップ304では、主セル及び少なくとも一つの他のセルのサブフレーム中の、上り制御チャネルのために割り当てられているリソースブロックの数のうちの最大値を計算する。
【００３６】
図4aを参照するに、主セルのサブフレーム400中の、上り制御チャネル400-1のために割り当てられているリソースブロックの数はn1であり、他のセルサブフレーム402中の、上り制御チャネル402-1のために割り当てられているリソースブロックの数はn2である。n1及びn2のうちの最大値を計算する。図4aに示す例では、n1はn2よりも小さいため、n1及びn2のうちの最大値はn2である。当業者が理解すべきは、他のセルの数が一つだけでなく、それ相応に、n2値も一つだけでないとのことである。
【００３７】
続いて、ステップ306では、サブフレーム中の個数が最大値である前（最初）のリソースブロック及び個数が最大値である後（最後）のリソースブロック以外の他のリソースブロックを、互いに重なり合わない上りチャネルリソースとする。
【００３８】
図5aを参照するに、n1及びn2のうちの最大値がn2であると算出した後に、主セルのサブフレーム400中の前のn2個のリソースブロック及び後のn2個のリソースブロック以外の他のリソースブロックを、互いに重なり合わない上りチャネルリソース、即ち、CoMP可用領域400-3とする。同様に、他のセルサブフレーム402中の前のn2個のリソースブロック及び後のn2個のリソースブロック以外の他のリソースブロックを、互いに重なり合わない上りチャネルリソース、即ち、CoMP可用領域402-2とする。当業者が理解すべきは、他のセルの数は一つだけでなく、また、その処理方法は全て類似するとのことであるので、ここでは、詳しい説明を省略する。
【００３９】
また、n1はn2よりも大きい可能性があり、この場合、算出されたn1及びn2のうちの最大値はn1である。このとき、主セルのサブフレーム400中の前のn1個のリソースブロック及び後のn1個のリソースブロック以外の他のリソースブロックを、互いに重なり合わない上りチャネルリソースとし、且つ、他のセルのサブフレーム402中の前のn1個のリソースブロック及び後のn1個のリソースブロック以外の他のリソースブロックを、互いに重なり合わない上りチャネルリソースとする。
【００４０】
続いて、ステップ308では、確定された上りチャネルリソースを、主セル及び少なくとも一つの他のセルの上りマルチセル協調送信/受信に関与（使用）させるように割り当てる。
【００４１】
最後に、該方法はステップ310にて終了する。
【００４２】
一般的に言えば、同一セルのサブフレーム中のその頭部に位置する上り制御チャネルが占用するリソースブロックの数hは、その尾部に位置する上り制御チャネルが占用するリソースブロックの数tに等しく、そのうち、h及びtはともに1以上の整数である。しかし、当業者が理解すべきは、数h及び数tが等しくなくてもよいとのことである。例えば、キャリアアグリゲーションシステムでは、上り制御チャネルのフォーマット3が存在するため、数hは数tよりも大きい可能性がある。
【００４３】
数hと数tとは同じでない時に、上述のステップ302で受信した少なくとも一つの他のセルのサブフレーム中の上り制御チャネルのために割り当てられているリソースブロックの数は、例えば、少なくとも一つの他のセルのサブフレーム中のその頭部及びその尾部にそれぞれ位置する上り制御チャネルのために割り当てられているリソースブロックの数を含んでもよく、即ち、上述のステップ302で、具体的には、少なくとも一つの他のセルのサブフレーム中のその頭部に位置する上り制御チャネルのために割り当てられているリソースブロックの数、及び、少なくとも一つの他のセルのサブフレーム中のその尾部に位置する上り制御チャネルのために割り当てられているリソースブロックの数を受信する。また、ステップ304で計算したのは、例えば、主セル及び少なくとも一つの他のセルのサブフレーム中のその頭部及びその尾部にそれぞれ位置する上り制御チャネルのために割り当てられているリソースブロックの数のうちの最大値であり、即ち、ステップ304で、具体的には、主セル及び少なくとも一つの他のセルのサブフレーム中のその頭部に位置する上り制御チャネルのために割り当てられているリソースブロックの数、及び、主セル及び少なくとも一つの他のセルのサブフレーム中のその尾部に位置する上り制御チャネルのために割り当てられているリソースブロックの数のうちの最大値を計算する。他のステップは、上述の実施例と同じであるので、ここでは、詳しい説明を省略する。
【００４４】
該実施例では、各セル間において各セルのサブフレーム中の上り制御チャネルのために割り当てられているリソースブロックの数を共有し、これらの数のうちの最大値を計算し、サブフレーム中の個数が最大値である前のリソースブロック及び個数が最大値である後のリソースブロック以外の他のリソースブロックを、CoMP可用なリソースブロックとして選択することにより、各セル間における上り制御チャネルによる干渉を避けることができる。
【００４５】
第三実施例
次に、図5及び図6a、図6b、図6cを参照して本発明の第三実施例を説明する。図5は、本発明の第三実施例による基地局においてサウンディングリファレンス信号情報に基づいてマルチセル協調送信/受信に用いる上りチャネルリソースを割り当てる方法のフローチャートである。図6aは、本発明の第三実施例による各セルにおいて異なるサウンディングリファレンス信号の周期を有するフレームシーケンスを示す図である。図6bは、本発明の第三実施例による各セルの第n個のサブフレームの構成を示す図である。図6cは、本発明の第三実施例による各セルのサブフレームにおいてCoMPを行うために選択され得る領域を示す図である。
【００４６】
図6aを参照する。各セル間のサウンディングリファレンス信号の構成パラメータは、異なる可能性がある。例えば、図6aに示す例では、主セルのサウンディングリファレンス信号の周期が10msであり、他のセルのサウンディングリファレンス信号の周期が5msである。即ち、主セルのフレームシーケンスでは、9個のサブフレーム毎に、サウンディングリファレンス信号をキャリーするための一つのサブフレームが存在し、他のセルのフレームシーケンスでは、4個のサブフレーム毎に、サウンディングリファレンス信号をキャリーするため一つのサブフレームが存在する。よって、図6bに示すものをもともに参照して、主セルのフレームシーケンス中の第n個のサブフレームは、サウンディングリファレンス信号をキャリーするために割り当てられておらず、他のセルフレームシーケンス中の第n個のサブフレームは、サウンディングリファレンス信号をキャリーするために割り当てられている。
【００４７】
図6bに示すように、主セルのフレームシーケンス中の第n個のサブフレーム600は、サブフレームの頭部及びサブフレームの尾部にそれぞれ位置する上り制御チャネル（PUCCH）600-1を含み、さらに、サブフレームの中部に位置する可用領域600-2をも含む。他のセルのフレームシーケンス中の第n個のサブフレーム602は、サブフレームの頭部及びサブフレームの尾部にそれぞれ位置する上り制御チャネル（PUCCH）602-1を含み、さらに、サブフレームの中部に位置する可用領域602-2をも含む。図6bに示すように、他のセルのフレームシーケンス中の第n個のサブフレーム602は、さらに、サブフレーム中のサウンディングリファレンス信号をキャリーするための最後の一つのシンボル602-3をも含む。該最後の一つのコードワード602-3は、サブフレーム内の全てのリソースブロック（即ち、バンド幅）をカバーしている。当業者が理解すべきは、サブフレーム内の他の位置にあるコードワードを採用してサウンディングリファレンス信号をキャリーしてもよく、且つ、サウンディングリファレンス信号をキャリーするためのコードワードの個数が一つだけでないとのことである。
【００４８】
図5を参照するに、該方法はステップ500にてスタートする。続いて、ステップ502では、少なくとも一つの他のセルのサウンディングリファレンス信号の構成パラメータを受信する。
【００４９】
図6a及び6bを参照するに、ユーザ端末UEが主セル及び他のセルにおいてCoMPを行う前に、まず、主セルにより、他のセルに、他のセルのサウンディングリファレンス信号の構成パラメータへの要求を送信することができる。他のセルは、主セルから送信されてきた該要求を受信した後に、他のセルのサウンディングリファレンス信号の構成パラメータを主セルに送信する。また、主セルにより他のセルに他のセルのサウンディングリファレンス信号の構成パラメータへの要求を送信せず、他のセルにより周期又は非周期的に他のセルのサウンディングリファレンス信号の構成パラメータを主セルに能動的に送信してもよい。サウンディングリファレンス信号の構成パラメータは、例えば、サウンディングリファレンス信号の周期及び/又はサウンディングリファレンス信号のバンド幅であってもよい。当業者が理解すべきは、他のセルから、セルの特定の他のタイプの情報を受信してもよいとのことである。
【００５０】
続いて、ステップ504では、主セル及び少なくとも一つの他のセルのサウンディングリファレンス信号の構成パラメータに基づいて、サウンディングリファレンス信号をキャリーするためのサブフレーム及びそのうちのサウンディングリファレンス信号をキャリーするためのシンボルを確定する。
【００５１】
図6aに示すように、主セル及び他のセルのサウンディングリファレンス信号の構成パラメータ（例えば、サウンディングリファレンス信号の周期）に基づいて、主セル又は全ての他のセルのフレームシーケンス中の黒色のサブフレーム（それは、各セルにおいてサウンディングリファレンス信号をキャリーするためのサブフレームである。）に対応するフレーム番号610-1、610-2、610-3及び610-4のサブフレームがサウンディングリファレンス信号をキャリーするためのサブフレームであると確定する。図6bに示すように、サウンディングリファレンス信号をキャリーするためのものとして確定されたサブフレーム中の最後の一つのシンボル602-3は、サウンディングリファレンス信号を実際にキャリーするためのシンボルであると確定する。当業者が理解すべきは、サウンディングリファレンス信号をキャリーするためのシンボルは、サブフレーム中の最後の一つのシンボルに限られず、サブフレーム中の他のシンボルであってもよいとのことである。
【００５２】
続いて、ステップ506では、サウンディングリファレンス信号をキャリーするためのサブフレーム以外の他のサブフレーム、及び、サウンディングリファレンス信号をキャリーするためのサブフレーム中の、サウンディングリファレンス信号をキャリーするためのシンボル以外の他のシンボルを、互いに重なり合わない上りチャネルリソースとする。
【００５３】
図6aに示すように、主セル及び全ての他のセルのフレームシーケンス中の黒色でないサブフレーム（それは、各セル中のサウンディングリファレンス信号をキャリーするためのサブフレームである。）に対応するフレーム番号612-1、612-2、612-3及び612-4のサブフレームが互いに重なり合わない上りチャネルリソースとされる。同時に、図6cに示すように、主セル又は全ての他のセルのフレームシーケンス中の黒色のサブフレーム（それは、各セル中のサウンディングリファレンス信号をキャリーするためのサブフレームである。）に対応するフレーム番号610-1、610-2、610-3及び610-4のサブフレームについては、最後の一つのシンボル602-3以外の他のシンボルを、互いに重なり合わない上りチャネルリソース、即ち、CoMP可用領域600-4及び602-2とする。
【００５４】
続いて、ステップ508では、確定された上りチャネルリソースを、主セル及び少なくとも一つの他のセルの上りマルチセル協調送信/受信に関与（使用）させるように割り当てる。
【００５５】
最後に、該方法はステップ510にて終了する。
【００５６】
該実施例では、各セル間において各セルのサウンディングリファレンス信号の構成パラメータを共有し、サウンディングリファレンス信号をキャリーするためのサブフレーム及びそのうちのサウンディングリファレンス信号をキャリーするためのシンボルを確定し、サウンディングリファレンス信号をキャリーするためのサブフレーム以外の他のサブフレーム、及び、サウンディングリファレンス信号をキャリーするためのサブフレーム中の、サウンディングリファレンス信号をキャリーするためのシンボル以外の他のシンボルを、CoMP可用なサブフレーム又はシンボルとして選択することにより、各セル間におけるサウンディングリファレンス信号による干渉を避けることができる。
【００５７】
第四実施例
次に、図7を参照して本発明の第四実施例を説明する。図7は、本発明の第四実施例による基地局においてマルチセル協調送信/受信に用いる上りチャネルリソースを割り当てる設備を示すブロック図である。
【００５８】
図7に示すように、該設備700は、受信装置702、確定装置704、割り当て装置706及び伝送装置708を含む。受信装置702は、少なくとも一つの他のセル中の上り制御チャネルリソース又は上りサウンディングリファレンス信号リソースの割り当てに関連する情報を受信するために用いられる。確定装置704は、主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定するために用いられる。割り当て装置706は、確定された上りチャネルリソースを、主セル及び少なくとも一つの他のセルの上りマルチセル協調送信/受信に関与（使用）させるように割り当てるために用いられる。伝送装置708は、割り当て情報をユーザ端末に送信するために用いられ、該割り当て情報は、例えば、確定された上りチャネルリソースを、主セル及び少なくとも一つの他のセルの上りマルチセル協調送信/受信に用いるためのもの（即ち、CoMP領域割り当て情報）である。
【００５９】
本発明の第四実施例による設備700は、本発明の第一実施例による方法に対応する設備であり、よって、その具体的な細部についての説明はここで省略する。
【００６０】
第五実施例
次に、図8を参照して本発明の第五実施例を説明する。図8は、本発明の第五実施例による基地局において上り制御チャネル情報に基づいてマルチセル協調送信/受信に用いる上りチャネルリソースを割り当てる設備を示すブロック図である。
【００６１】
図8に示すように、該設備800は、受信装置802、確定装置804、割り当て装置806及び伝送装置808を含み、そのうち、確定装置804は、リソースブロック計算装置8040及びリソースブロック選択装置8042を有する。受信装置802は、少なくとも一つの他のセルのサブフレーム中の、上り制御チャネルのために割り当てられているリソースブロックの数を受信するために用いられる。リソースブロック計算装置8040は、主セル及び少なくとも一つの他のセルのサブフレーム中の、上り制御チャネルのために割り当てられているリソースブロックの数のうちの最大値を計算するために用いられる。リソースブロック選択装置8042は、サブフレーム中の個数が最大値である前のリソースブロック及び個数が最大値である後のリソースブロック以外の他のリソースブロックを、互いに重なり合わない上りチャネルリソースとするために用いられる。割り当て装置806は、確定された上りチャネルリソースを、主セル及び少なくとも一つの他のセルの上りマルチセル協調送信/受信に使用（関与）させるように割り当てるために用いられる。伝送装置808は、割り当て情報をユーザ端末に伝送するために用いられ、該割り当て情報は、例えば、確定された上りチャネルリソースを、主セル及び少なくとも一つの他のセルの上りマルチセル協調送信/受信に使用（関与）させるためのもの（即ち、CoMP領域割り当て情報）である。
【００６２】
本発明の第五実施例による設備800は、本発明の第二実施例による方法に対応する設備であり、よって、その具体的な細部についての説明はここで省略する。
【００６３】
第六実施例
次に、図9を参照して本発明の第六実施例を説明する。図9は、本発明の第六実施例による基地局においてサウンディングリファレンス信号情報に基づいてマルチセル協調送信/受信に用いる上りチャネルリソースを割り当てる設備を示すブロック図である。
【００６４】
図9に示すように、該設備900は、受信装置902、確定装置904、割り当て装置906及び伝送装置908を含み、そのうち、確定装置904は、リソースブロック計算装置9040及びリソースブロック選択装置9042を有する。受信装置902は、少なくとも一つの他のセルのサウンディングリファレンス信号の構成パラメータを受信するために用いられる。リソースブロック計算装置9040は、主セル及び少なくとも一つの他のセルのサウンディングリファレンス信号の構成パラメータに基づいて、サウンディングリファレンス信号をキャリーするためのサブフレーム及びそのうちのサウンディングリファレンス信号をキャリーするためのシンボルを確定するために用いられる。リソースブロック選択装置9042は、サウンディングリファレンス信号をキャリーするためのサブフレーム以外の他のサブフレーム、及び、サウンディングリファレンス信号をキャリーするためのサブフレーム中の、サウンディングリファレンス信号をキャリーするためのシンボル以外の他のシンボルを、互いに重なり合わない上りチャネルリソースとするために用いられる。割り当て装置906は、確定された上りチャネルリソースを、主セル及び少なくとも一つの他のセルの上りマルチセル協調送信/受信に使用（関与）させるように割り当てるために用いられる。伝送装置808は、割り当て情報をユーザ端末に伝送するために用いられ、該割り当て情報は、例えば、確定された上りチャネルリソースを、主セル及び少なくとも一つの他のセルの上りマルチセル協調送信/受信に使用（関与）させるためのもの（即ち、CoMP領域割り当て情報）である。
【００６５】
本発明の第六実施例による設備800は、本発明の第三実施例による方法に対応する設備であり、よって、その具体的な細部についての説明はここで省略する。
【００６６】
第七実施例
次に、図10を参照して本発明の第七実施例を説明する。図10は、本発明の第七実施例によるマルチセル協調送信/受信に用いる上りチャネルリソースを割り当てる方法のフローチャートである。
【００６７】
図10に示すように、ステップS100では、主セルが所属する基地局は、少なくとも一つの他のセルが所属する基地局に、リソース構成情報への要求を送信する。そのうち、リソース構成情報は、例えば、上り制御チャネルリソース又は上りサウンディングリファレンス信号リソースの割り当て情報であってもよい。続いて、ステップS102では、少なくとも一つの他のセルが所属する基地局は、主セルが所属する基地局により送信された該要求を受信した後に、少なくとも一つの他のセルのリソース構成情報を、主セルが所属する基地局に送信する。続いて、ステップS104では、主セルが所属する基地局は、少なくとも一つの他のセルのリソース構成情報を受信する。続いて、ステップS106では、主セルが所属する基地局は、可用なCoMP領域を確定する。例えば、主セルが所属する基地局は、主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定する。続いて、ステップS108では、CoMP領域を割り当てる。例えば、主セルが所属する基地局は、確定された上りチャネルリソースを、主セル及び少なくとも一つの他のセルの上りマルチセル協調送信/受信に関与（使用）させるように割り当てる。そのうち、上述のステップS104、ステップS106及びステップS108は、上述の第一実施例、第二実施例及び第三実施例に示す方法のうちの何れか一種又はその組み合わせを採用してもよい。続いて、ステップS110では、主セルが所属する基地局は、確定された上りチャネルリソースを、主セル及び少なくとも一つの他のセルの上りマルチセル協調送信/受信に関与（使用）させるための割り当て情報（即ち、CoMP領域割り当て情報）をユーザ端末に送信する。最後に、ステップS112では、ユーザ端末は、主セルが所属する基地局により伝送された割り当て情報を受信し、且つ該割り当て情報に基づいて主セル及び少なくとも一つの他のセルにアクセスする。
【００６８】
第八実施例
次に、図11を参照して本発明の第八実施例を説明する。図11は、本発明の第八実施例によるマルチセル協調送信/受信に用いる上りチャネルリソースを割り当てる方法のフローチャートである。
【００６９】
本発明の第八実施例のプロセスは、本発明の第七実施例のプロセスと基本的に同じであるので、ここでは、両者の相違点のみについて説明する。図11に示すように、ステップS1100では、他のセルは、周期又は非周期的にそのリソース構成情報を主セルに能動的に送信する。その後のステップS1102〜S1110は、第七実施例のステップS104〜S112と同じであるため、ここでは、詳しい説明を省略する。
【００７０】
第九実施例
次に、本発明の第九実施例によるマルチセル協調送信/受信に用いる上りチャネルリソースを割り当てるシステムを説明する。該システムは、基地局及びユーザ端末を含み、そのうち、基地局は、少なくとも一つの他のセル中の上り制御チャネルリソース又は上りサウンディングリファレンス信号リソースの割り当てに関連する情報を受信するために用いられる受信装置；主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定するために用いられる確定装置；及び、確定された上りチャネルリソースを、主セル及び少なくとも一つの他のセルの上りマルチセル協調送信/受信に用いるための割り当て情報をユーザ端末に伝送するために用いられる伝送装置を含み、ユーザ端末は、基地局により伝送された割り当て情報を受信するために用いられる割り当て情報受信装置；及び、割り当て情報に基づいて、主セル及び少なくとも一つの他のセルにアクセスするために用いられるアクセス装置を含む。
【００７１】
本発明の第九実施例によるシステムは、本発明の第七実施例による方法に対応するシステムであり、よって、その具体的な細部についての説明はここで省略する。
【００７２】
第十実施例
次に、図12を参照して本発明によるユーザ端末1200を説明する。図12は、本発明によるユーザ端末を示すブロック図である。
【００７３】
図12に示すように、ユーザ端末1200は、割り当て情報受信装置1202及びアクセス装置1204を含む。割り当て情報受信装置1202は、基地局から割り当て情報を受信することができ、該割り当て情報は、基地局により生成されてユーザ端末1200に送信されたものである。該割り当て情報は、例えば、確定された上りチャネルリソースを、主セル及び少なくとも一つの他のセルの上りマルチセル協調送信/受信に用いるためのもの（即ち、CoMP領域割り当て情報）である。アクセス装置1204は、受信された割り当て情報に基づいて、主セル及び少なくとも一つの他のセルにアクセスする。そのうち、基地局は、少なくとも一つの他のセル中の上り制御チャネルリソース又は上りサウンディングリファレンス信号リソースの割り当てに関連する情報を受信するための受信装置；主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定するための確定装置；及び、確定された上りチャネルリソースを、主セル及び少なくとも一つの他のセルの上りマルチセル協調送信/受信に用いるための割り当て情報をユーザ端末に送信するための伝送装置を含む。
【００７４】
第十一実施例
次に、本発明の第十一実施例によるマルチセル協調送信/受信に用いる上りチャネルリソースを割り当てる方法を説明する。該方法は、ユーザ端末が基地局から割り当て情報を受信し；及び、ユーザ端末が割り当て情報に基づいて主セル及び少なくとも一つの他のセルにアクセスすることを含み、そのうち、基地局は、少なくとも一つの他のセル中の上り制御チャネルリソース又は上りサウンディングリファレンス信号リソースの割り当てに関連する情報を受信し；基地局は、主セル及び少なくとも一つの他のセル中の上り制御チャネルリソース又は上りサウンディングリファレンス信号リソースの割り当てに関連する情報に基づいて、主セル及び少なくとも一つの他のセル中の、上り通信のために既に割り当てられている上り制御チャネルリソース又は上りサウンディングリファレンス信号リソースとは互いに重なり合わない上りチャネルリソースを確定し；及び、基地局は、確定された上りチャネルリソースを、主セル及び少なくとも一つの他のセルの上りマルチセル協調送信/受信に用いるための割り当て情報をユーザ端末に伝送する。
【００７５】
本発明の第十一実施例による方法は、本発明の第十実施例によるユーザ端末に対応するものであり、よって、その具体的な細部についての説明はここで省略する。
【００７６】
本発明の上述の実施例に対して各種の変形及び/又は変更を行うことができる。例えば、上述の第一実施例乃至第八実施例のうちの何れか一つでは、主セルが所属する基地局は、少なくとも一つの他のセルが所属する基地局とは異なる場合、少なくとも一つの他のセルは、X2インターフェースにより、少なくとも一つの他のセル中の上り制御チャネルリソース又は上りサウンディングリファレンス信号リソースの割り当てに関連する情報を、主セルが所属する基地局に送信することができる。業者が理解すべきは、他の標準インターフェースを採用して上述の情報を送信してもよいとのことである。
【００７７】
フローチャート及び/又はブロック図中の各ブロック及びフローチャート及び/又はブロック図中の各ブロックの組み合わせは、すべてコンピュータプログラム指令により実現され得る。また、これらのコンピュータプログラム指令は、コンピュータ又は他のプログラミング可能なデータ処理装置に特定の方式で動作させることができるコンピュータ読み取り可能な媒体に記録され得る。なお、図面中のフローチャート及びブロック図は、本発明の各種の実施例におけるシステム、方法及びコンピュータプログラムプロダクトに従って実現し得るアーキテクチャ、機能及び処理を図示している。この点で言えば、フローチャート又はブロック図中の各ブロックは、一つのモジュール、プログラムセグメント、又はコードの一部を表すことができ、上述のモジュール、プログラムセグメント、又はコードの一部は、所定のロジック機能を実現するため一つの又は複数の実行可能な指令を含む。なお、幾つかの代替としての実現では、ブロックに示されている機能は、図面に示されている順序とは異なる順序で発揮してもよい。例えば、示されているある二つの接続ブロックは、実際に、基本的に並列実行されてもよく、また、ある時に、逆の順序で実行されてもよく、これは、その関連する機能により定まることである。また、ブロック図及び/又はフローチャート中の各ブロック、及び、ブロック図及び/又はフローチャート中のブロックの組み合わせは、所定の機能又は処理を実行するための専用のバードウェアベースのシステムにより実現されてもよく、又は、専用のハードウェアとコンピュータ指令との組み合わせにより実現されてもよい。
【００７８】
当業者は、本発明の範囲及び思想を離脱しない限り、あらゆる変更及び変形を行うことができる。実施例の選択及び説明は、本発明の原理及び実際の応用を最良に解説し、当業者が容易に理解できるためのものである。また、本発明は、所要の特定用途に応じて各種の実施形態を有してもよい。
【図１ａ】
2014508462.tif 000003
【図１ｂ】
2014508462.tif 000004
【図２】
2014508462.tif 000005
【図３】
2014508462.tif 000006
【図４ａ】
2014508462.tif 000007
【図４ｂ】
2014508462.tif 000008
【図５】
2014508462.tif 000009
【図６ａ】
2014508462.tif 000010
【図６ｂ】
2014508462.tif 000011
【図６ｃ】
2014508462.tif 000012
【図７】
2014508462.tif 000013
【図８】
2014508462.tif 000014
【図９】
2014508462.tif 000015
【図１０】
2014508462.tif 000016
【図１１】
2014508462.tif 000017
【図１２】
2014508462.tif 000018
【国際調査報告】
2014508462.tif 000019
2014508462.tif 000020
2014508462.tif 000021
2014508462.tif 000022